(57)【要約】 【課題】簡単な構成で、使用者の素振り練習と合わせて手指の筋力をも鍛え、握力強化を図ることが可能なトレーニング用具およびトレーニング用バットと、特に、トレーニングバットにあっては、各人の所望のトレーニング用バットにカスタマイズし易い構成を備えるトレーニング用バットを提供する。【解決手段】  グリップ部２としての所望の径寸法Ｘよりも小さい径寸法Ｘ−αに形成されたシャフト部３の外周に固定され、外周側からの握り弾性変形を可能にする弾性変形部材４を有するグリップ部２を備え、前記弾性変形部材４は、握力強化トレーニングの目的とする負荷が掛かる握力で掌握することで、グリップ部２を前記所望の径寸法Ｘにまで弾性収縮させることが可能に形成する。【選択図】  図１
0003178749.tif 000002
【実用新案登録請求の範囲】
【請求項１】
グリップ部を握って行う素振り練習に用いられるトレーニング用具であって、前記グリップ部としての所望の径寸法よりも小さい径寸法に形成されたシャフト部の外周に固定され、外周側からの握り弾性変形を可能にする弾性変形部材を有するグリップ部を備え、前記弾性変形部材は、握力強化トレーニングの目的とする負荷が掛かる握力で掌握することで、該グリップ部を前記所望の径寸法にまで弾性収縮させることが可能に形成されていることを特徴とするトレーニング用具。
【請求項２】
使用時に掌で強く握るグリップ部を備え、前記グリップ部は、使用時における所望の径寸法よりも小さい径寸法に形成されたグリップ芯部の外周に固定され、外周側からの握り弾性変形を可能にする弾性変形部材を有し、前記弾性変形部材は、トレーニングの目的とする負荷が掛かる握力で掌握することで、該グリップ部を所望の径寸法に弾性収縮させることが可能に形成されていることを特徴とするトレーニング用バット。
【請求項３】
前記グリップ芯部に固定される弾性変形部材を交換可能に形成されていることを特徴とする請求項２記載のトレーニング用バット。
【考案の詳細な説明】
【技術分野】
【０００１】
本考案は、グリップ部を握った素振りのトレーニング（準備運動を含む）において、効率的に握力強化を図ることのできるトレーニング用具およびトレーニング用バットに関する。
【背景技術】
【０００２】
スポーツやリハビリによって握力を強化させる（衰えていた握力を回復させる、あるいは、握力の低下を予防する場合も含む）ためには、手首を屈曲・伸展させる筋肉を鍛えるとともに、指を屈曲・伸展させる筋肉を鍛える必要がある。
【０００３】
そして、指の筋肉を鍛えるためのトレーニングとしては、『ハンドグリップ』といわれる方法がよく知られている。『ハンドグリップ』は、ねじりコイルばね（トーションばね）の両端部に２本のグリップ部が配設されたナットクラッカー型（胡桃割り型）の『ハンドクリッパー』と称される器具を用い、前記２本のグリップ部に指を掛け、ばねの負荷に抗して２本のグリップ部を近接させるように握ること（握り潰すこと）で、指を屈曲させる筋肉を鍛えるものである。
【０００４】
また、野球やソフトボールのトレーニングでは、試合で使用するバットよりも使用者の身体に負荷が掛かる構成を備えたトレーニング用バット（マスコットバット）を用い、素振りの練習をしたり、本打席へ向かう前の準備運動をすることがなされており、従来のトレーニング用バットとしては、試合で使用するバットよりも重量を重く調整したものが用いられている。そして、重量を調整可能なバットとして、グリップ端部に所望の重りを設けることで、全体の重量を調整することができるものが開発されている（特許文献１、２参照）。
【先行技術文献】
【特許文献】
【０００５】
【特許文献１】実開昭６０−１２８６７０号公報
【特許文献２】実開平０２−９１５８３号公報
【考案の概要】
【考案が解決しようとする課題】
【０００６】
前述したように、『ハンドクリッパー』は握力強化専用のトレーニング用具である。
【０００７】
また、前記マスコットバットは、グリップ端部に所望の重りを設けるなどして、使用者の身体に重量的な負荷を掛けることで身体を鍛錬するものであるが、特に握力強化を目的とするための構成をそなえてはいない。
【０００８】
そこで、簡単な構成で、使用者の素振り練習と合わせて手指の筋力をも鍛え、握力強化を図ることが可能なトレーニング用具およびトレーニング用バットと、特に、トレーニングバットにあっては、各人の所望のトレーニング用バットにカスタマイズし易い構成を備えるトレーニング用バットを提供することを目的とする。
【課題を解決するための手段】
【０００９】
前記課題を解決するべく、本考案のトレーニング用具は、グリップ部を握って行う素振り練習に用いられるトレーニング用具であって、前記グリップ部としての所望の径寸法よりも小さい径寸法に形成されたシャフト部の外周に固定され、外周側からの握り弾性変形を可能にする弾性変形部材を有するグリップ部を備え、前記弾性変形部材は、握力強化トレーニングの目的とする負荷が掛かる握力で掌握することで、該グリップ部を前記所望の径寸法にまで弾性収縮させることが可能に形成されていることを特徴とする。
【００１０】
本考案のトレーニング用具によれば、素振り練習時に弾性変形部材をその弾性力に抗して握力強化トレーニングの目的とする負荷が掛かる握力で掌握し、該グリップ部を所望の径寸法にまで弾性収縮させることで、使用者の素振り練習と合わせて手指の筋力をも効率的に鍛え、握力強化を図ることができる。
【００１１】
前記弾性変形部材は、握力強化トレーニングの目的とする負荷が掛かる握力で掌握すれば、該グリップ部は前記所望の径寸法となるので、本番と同じグリップ状態で素振り練習を行うことができる。
【００１２】
また、本考案のトレーニング用バットは、使用時に掌で強く握るグリップ部を備え、前記グリップ部は、使用時における所望の径寸法よりも小さい径寸法に形成されたグリップ芯部の外周に固定され、外周側からの握り弾性変形を可能にする弾性変形部材を有し、前記弾性変形部材は、トレーニングの目的とする負荷が掛かる握力で掌握することで、該グリップ部を所望の径寸法に弾性収縮させることが可能に形成されていることを特徴とする。
【００１３】
本考案のトレーニング用バットによれば、使用時に弾性変形部材をその弾性力に抗して握力強化トレーニングの目的とする負荷が掛かる握力で掌握し、該グリップ部を所望の径寸法にまで弾性収縮させることで、使用者の素振り練習と合わせて効率的に手指の筋力を鍛え、握力強化を図ることができる。
【００１４】
前記グリップ芯部に固定される弾性変形部材を交換可能とすれば、各人の要望に合わせたトレーニング用バットを簡単にカスタマイズすることができる。
【考案の効果】
【００１５】
本考案のトレーニング用具によれば、簡単な構成で、素振りのトレーニング時に弾性変形部材をその弾性に抗して掌握することで、手指の筋力を効率的に鍛えることができ、握力強化を図ることができる。また、本考案のトレーニング用バットによれば、各人の所望のトレーニング用バットにカスタマイズし易く、効率的な握力強化を期待できる。
【図面の簡単な説明】
【００１６】
【図１】（ａ）は本実施形態のトレーニング用具におけるグリップ部の正面概略図、（ｂ）は（ａ）のトレーニング用具の要部断面図、（ｃ）は（ｂ）のトレーニング用具のｃ−ｃ断面図
【図２】（ａ）は本実施形態の別のトレーニング用具におけるグリップ部の正面概略図、（ｂ）は（ａ）のトレーニング用具の要部断面図、（ｃ）は（ｂ）のトレーニング用具のｃ−ｃ断面図
【図３】（ａ）は本実施形態のさらに別のトレーニング用具におけるグリップ部の正面概略図、（ｂ）は（ａ）のトレーニング用具の要部断面図、（ｃ）は（ｂ）のトレーニング用具のｃ−ｃ断面図
【図４】（ａ）は本実施例のトレーニング用バットの斜視図、（ｂ）は（ａ）のトレーニング用バットの要部断面図、（ｃ）は（ａ）のトレーニング用バットの組立例を示す分解斜視図
【図５】図４（ｃ）に対応する本実施例のトレーニング用バットの別の組立例を示す分解斜視図
【図６】図４（ｃ）に対応する本実施例のトレーニング用バットのさらに別の組立例を示す分解斜視図
【考案を実施するための形態】
【００１７】
本実施形態のトレーニング用具１は、掌で強く握って使用されるグリップ部２を備え、素振り練習と、握力強化を目的として用いられる携帯サイズのトレーニング用具１であり、素振りの練習を、スポーツの試合等で実際に用いる用具のグリップ部２と同径のトレーニング用具１で行いつつ、握力強化も効率的に図れるものである。
【００１８】
このトレーニング用具１の前記グリップ部２は、図1乃至図３に示すように、前記グリップ部２の所望の径寸法よりも小さい径寸法に形成された、木、金属、カーボン等の硬質材料からなるシャフト部３を備えている。該シャフト部３はトレーニング用具１のシャフト全体であっても一部分であってもよく、中空構造であっても中実構造であってもよい。
【００１９】
前記シャフト部３の外周には、外周側からの掌握により弾性変形を可能にする弾性変形部材４が不図示の接着剤等により固定されている。
【００２０】
本実施形態の図１および図2に示すトレーニング用具の前記グリップ部の前記弾性変形部材は、厚さ５ｍｍ〜２０ｍｍ程度の弾性材料により、有底あるいは無底の筒状に形成されており、握力強化トレーニングの目的とする負荷が掛かる握力で掌握することで、大凡、該グリップ部２を前記所望の径寸法にまで弾性収縮させることができるように適切な弾性を持たせて形成されている。つまり、グリップ部２の所望の径寸法をＸとした場合に、シャフト部３の径寸法はＸ−α、不使用時におけるグリップ部２の外径寸法はＸ＋βとして形成されており（図１乃至図３参照）、弾性変形部材４は、握力強化トレーニングの目的の握力により、Ｘ＋βの径寸法とされた該グリップ部２が前記所望の径寸法Ｘにまで弾性収縮可能に弾性等を調整して形成されている。
【００２１】
前記硬質弾性材料としては、例えば、ポリ塩化ビニル、ウレタン、ゴム（天然・合成）、シリコン、ポリエチレン、ポリプロピレンなどからなる樹脂発泡体や、シリコン（樹脂）にフィラーや硬化剤を混合させた材料などを、握力強化トレーニングの目的とする負荷に合わせて適宜選択し、用いればよい。
【００２２】
なお、前記弾性変形部材４は異なる材質の硬質弾性材料を重ね複数層状に形成してもよい。また、前記硬質弾性材料の外表面をその形状変化に追従する伸縮性を備えた塗膜で被覆してもよい。塗膜形成には、例えば、ウレタン系、ポリ塩化ビニル系の塗料を用いることができる。
【００２３】
また、弾性変形部材４の構成は他に、図３に示すような、シャフト部３の外周と固定される内面層５ａと該グリップ部２の外周を構成する外面層５ｂとの間に形成される閉鎖空間内に弾性を有する、シリコンバウンシングパテ、プラスティックフォーム、エアーマット、ゲル等の樹脂や発泡粒等、あるいは、衝撃を吸収し、握力を奪う、所謂、衝撃吸収材としてのゲル等を充填させ、中間層６を形成する構成としてもよい。つまり、グリップ部２を構成する弾性変形部材４に反発力を持たせれば、この反発力に抗することで握力を強化することができる一方、衝撃を吸収するようにすれば、さらに手指の筋肉を酷使することになるため、握力強化のトレーニングとなる。前記中間層６は複数層状に形成してもよいし、シャフト部３の周方向に空間を仕切る壁部を形成してもよい。前記内面層５ａおよび外面層５ｂは、硬質ポリウレタン樹脂や硬質ゴム等を用い、同一の素材にて射出成形により薄く形成するとよい。
【００２４】
本考案のトレーニング用具１を用いた素振りトレーニングにおいては、素振り練習時に弾性変形部材４をその弾性力に抗して握力強化トレーニングの目的とする負荷が掛かる握力で掌握し、グリップ部２を所望の径寸法にまで弾性収縮させ、グリップ部２を所望の径寸法として本番と同じグリップ状態で素振り練習を行う。
【００２５】
その際、グリップ部２を握力強化トレーニングの目的とする負荷が掛かる握力で掌握することで、本考案のような構成を備えない従来のトレーニング用具のグリップ部２を強く握る場合と比較しても、手指の筋力をも効率的に鍛え、握力強化を図ることができる。
【００２６】
前記弾性変形部材４を握力強化トレーニングの目的とする負荷が掛かる握力以下で掌握している間は、グリップ部２は本番の用具と同じ前記所望の径寸法とはならないが、素振り練習に支障は無く、また、握力強化のトレーニングにも本番と同じグリップ状態が得られるように精を出すこととなる。逆に、弾性変形部材４を握力強化トレーニングの目的とする負荷が掛かる握力以上で掌握すれば、グリップ部２は前記所望の径寸法以下となるが、素振り練習に支障は無く、その場合においても、弾性変形部材４の弾性に抗して握ることを続けることで、所謂、アイソメトリックトレーニングとなり、手指の筋力を鍛え、握力強化を図ることができる。
【実施例】
【００２７】
［トレーニング用バット］
以下では、前述のトレーニング用具１の一実施例である、野球やソフトボールなどのスイング練習用のバット（トレーニング用バット）１１について説明する。
【００２８】
図４に示す、本実施例のトレーニング用バット１１は、使用時における所望の径寸法よりも小さい径寸法に形成されたグリップ芯部１３（前述のシャフト部３に相当）の外周に外周側からの握り弾性変形を可能にする弾性変形部材１４が固定されたグリップ部１２を有し、弾性変形部材１４は、トレーニングの目的とする負荷が掛かる握力で掌握することで、該グリップ部２を所望の径寸法に弾性収縮させることが可能に形成されている。
【００２９】
詳しくは、本実施例のトレーニング用バット１１は、試合に用いるバットを外形状をほぼ等しくする金属バット様に形成されており、長さ方向一端部側の一定長さ領域を前記グリップ部１２とされており、その他、長さ方向他端部側の打球部１７、この打球部１７と前記グリップ部１２とを繋ぐ連結部１８、並びに、該トレーニング用バット１１の長さ方向一端部においてグリップ部２に連接して形成されるグリップエンド１９から構成されている。
【００３０】
本実施例において、グリップ芯部１３は、打球部１７および連結部１８とともにバット本体２０として一体に、連結部１８の一端側端面における軸心からグリップ部１２の所望の径寸法よりも小さい径寸法で延出形成されている。
【００３１】
そして、バット本体２０におけるグリップ芯部１３の開放端部には、内ねじ部２０ａが設けられている。また、グリップエンド１９はグリップ部１２よりも大径とされ、内ねじ部２０ａに螺合する外ねじ部２１ａが設けられたグリップエンド部材２１として形成されている。
【００３２】
そして、前記グリップ芯部１３に弾性変形部材１４の軸孔１４ａを嵌着し、弾性変形部材１４をグリップ芯部１３の外周であって、前記バット本体２０の一端側端面とグリップエンド１９の間に、不図示の接着剤等により固定し、前記内ねじ部２０ａと外ねじ部２１ａとを螺着させることで、バット本体２０のグリップ部側端面とグリップエンド２１の間に前記弾性変形部材１４を介在させて形成されている。
【００３３】
より具体的には、本実施例のトレーニング用バット１１は、所望のグリップ部径（最小径部）を２４ｍｍ、グリップ芯部１３の径寸法を１４ｍｍ、弾性変形部材１４は弾性力を備えた弾性材料により厚さ１０ｍｍで軸孔寸法を１４ｍｍとする円筒状に形成し、素振り練習時のグリップ部１２の掌握により、弾性部材を約８ｍｍほど弾性収縮させて、該グリップ部１２を前記所望の２４ｍｍ径寸法とすることができるように形成されている。
【００３４】
前記グリップ芯部１３の径寸法は、弾性変形部材の厚さ寸法や材質を変更・調整して幅広い需要に対応可能とするべく、トレーニング用バット１１としての強度が保証される最小径として設計しておくことが望ましい。
【００３５】
本考案のトレーニング用バット１１は、素振り練習時にグリップ部１２を構成する弾性変形部材１３をその弾性に抗して掌握して所望の径寸法にまで弾性収縮させ、前記所望の径寸法とした、本番と同じグリップ状態で素振り練習に用いる。
【００３６】
その際、前記グリップ部１２をその弾性に抗して掌握することで、本実施例のような構成を備えない従来のトレーニング用バットを強く握る場合と比較しても、手指の筋力をも効率的に鍛え、握力強化を図ることができる。
【００３７】
また、本実施例のような構成のトレーニング用バット１１は、グリップ芯部１３に固定される弾性変形部材１４を交換可能とすれば、各人の所望に合わせたトレーニング用バット１１を簡単にカスタマイズすることができる。
【００３８】
さらには、該トレーニング用バット１１の使用者の好みに応じて、外形状（長さ、太さ）や重量、素材等を異ならせた複数種のバット本体２０およびグリップエンド部材２１、素材や厚さを調整して弾性を異ならせた複数種の弾性変形部材１４を、使用者の好みに合わせて適宜組み合わせることで簡単にカスタマイズすることが可能となる。
【００３９】
なお、本考案は、前述の実施の形態や実施例に限定されるものではなく、必要の応じて種々の変更が可能である。
【００４０】
例えば、本実施例では、トレーニング用バット１１として、試合に用いるバットと外形状をほぼ等しくしたものとして説明したが、所謂、素振り練習のトレーニング用バット１１であってグリップ部１２を有するものであれば、トレーニング用バットの全体形状や構成はいかなるものであっても構わない。
【００４１】
さらには、本実施例のトレーニング用バット１１は、グリップ芯部１３がバット本体２０に一体に設けられた例を以て説明したが、図５に示すように、グリップ芯部１３をバット本体２０とは別に形成してもよい。例えば、前記打球部１７および連結部１８とからなるバット本体２０’の連結部１８側端部に内ねじ部２０ａ’を設け、グリップ芯部１３の一端部にはこの内ねじ部２０ａに螺合する外ねじ部１３ａを形成するとともに、他端部側にはグリップエンド部材２１に形成された外ねじ部２１ａに螺合する内ねじ部１３ｂを形成し、バット本体２０’の内ねじ部２０ａ’にグリップ芯部１３の外ねじ部１３ａを螺着させた状態で、グリップ芯部１３に弾性変形部材１４の軸孔１４ａを嵌着し、弾性変形部材１４をグリップ芯部１３の外周に不図示の接着剤等により固定し、グリップ芯部１３の内ねじ部１３ｂにグリップエンド部材２１の外ねじ部２１ａを螺着させることで、バット本体２０’のグリップ部側端面とグリップエンド２１の間に前記弾性変形部材１４を介在させて形成することも可能である。
【００４２】
または、図６に示すように、グリップ芯部１３をグリップエンド部材２１と一体に形成してもよい。例えば、前記打球部１７および連結部１８とからなるバット本体２０’の連結部１８側端部に内ねじ部２０ａ’を設けるとともに、グリップエンド部材２１と一体に形成した前記グリップ芯部１３の開放端部には前記内ねじ部２０ａ’に螺合する外ねじ部１３ａを形成し、グリップ芯部１３の該外ねじ部１３ａを除く部分に弾性変形部材１４の軸孔１４ａを嵌着し、弾性変形部材１４をグリップ芯部１３の外周に不図示の接着剤等により固定し、バット本体２０’の内ねじ部２０ａ’にグリップ芯部１３の外ねじ部１３ａを螺着させることで、バット本体２０’のグリップ部側端面とグリップエンド２１の間に前記弾性変形部材１４を介在させて形成することも可能である。
【産業上の利用可能性】
【００４３】
本考案のトレーニング用具は、前述の野球・ソフトボールで使用するバットに限らず、テニスラケット、バドミントンラケット、ゴルフクラブなどの、グリップ部を掌握して「振る（スイング）」動作が行われるスポーツの素振り練習具であってもよいし、金槌などの工具のグリップを掌握して「振り下ろす」動作が行われる作業の素振り練習具であってもよい。
【符号の説明】
【００４４】
１  トレーニング用具
２  グリップ部
３  シャフト部
４  弾性変形部材
５ａ  内面層
５ｂ  外面層
６  中間層
１１  バット
１２  グリップ部
１３  グリップ芯部
１３ａ  外ねじ部
１３ｂ  内ねじ部
１４  弾性変形部材
１４ａ  軸孔
１７  打球部
１８  連結部
１９  グリップエンド
２０、２０’  バット本体
２０ａ、２０ａ’  内ねじ部
２１  グリップエンド部材
２１ａ  外ねじ部
【図１】
0003178749.tif 000003
【図２】
0003178749.tif 000004
【図３】
0003178749.tif 000005
【図４】
0003178749.tif 000006
【図５】
0003178749.tif 000007
【図６】
0003178749.tif 000008